(57)【特許請求の範囲】
【請求項１】
底部（１）と、２つの垂直な長い側部（２）と、２つの垂直な短い側部（３）とを備える袋であって、前記２つの垂直な長い側部（２）と、前記２つの垂直な短い側部（３）とのうち少なくとも１つの側部（２、３）が、少なくとも１枚の気泡シート（２２）を束縛する２枚の布片（２０、２１）を用いて構成されており、前記２枚の布片は互いに固定されており、それらの間に前記少なくとも１枚の気泡シートを、前記布片の一方および／または他方に接着してまたは接着せずに、挟んでいる構成となっており、
底部（１）には発泡ポリプロピレンからなるプレート（１２）が配置され、該プレートの下方に、前記底部（１）に形成された穴（９）に導入される車輪（１０）が固定されており、
前記プレート（１２）は、前記底部（１）と両側の前記長い側部（２）との間の共通縁に沿って設けられた２つのフラップにより底部（１）に保持されており、
該２つのフラップは、前記プレート（１２）の上方で前記２つのフラップを下げ、それぞれの該フラップに設けられた取付け部材（８）を互いに押し付けることによって前記底部（１）に対して前記プレート（１２）を係止することができるよう構成されており、
少なくとも１つの前記短い側部（３）にハンドルが固定されていることを特徴とする袋。
【請求項２】
前記２枚の布片はポリプロピレン製である、請求項１に記載の袋。
【請求項３】
前記２枚の布片は、同一のまたは異なる単位重量を有する、請求項１または２に記載の袋。
【請求項４】
前記気泡シートの寸法が、前記布片の寸法と異なる、請求項１〜３のいずれか一項に記載の袋。
【発明の詳細な説明】
【技術分野】
【０００１】
本出願はＣＯＤＥＦＩＮＥ  Ｓ．Ａ．の名義で２０１２年１１月５日に出願されたスイス国出願第０２２５２／１２号の優先権を主張するものであり、この先行出願の内容の全体を参照により本願に援用する。
【０００２】
本発明は、合成布製の袋を構成する布片を調製する方法に関するものであり、かかる袋の壁を補強し、袋に安定性を付与することを目的とする。また、本発明は、かかる方法の適用から派生した布片及び袋にも関する。
【背景技術】
【０００３】
底部と、一般に２つの長い側部及び２つの短い側部からなる４つの垂直側部を含む合成布製の袋は周知であり、単なる一例として特許文献１を挙げることができるが、複数の文献を容易に例示することができる。
【０００４】
理論上、または紙上に描いた場合、これらの袋は完全に起立しており、側部は適切に垂直でたるみがなく、袋の口は、袋の中に入れて運ぶことが望まれる物を受け入れられるように、開いて適切に展開した状態に維持される。
【０００５】
実際には、本物の袋の側部は、紙上のようには従順でなく、傾き、次いで、袋の内部に向かって倒れ、時には、適切に開き損ねたパラシュートのように、対向する側部に接触するが、すべての場合において、多かれ少なかれ望ましくない形で袋の口が閉じてしまう。
【０００６】
袋の中に入れるために、両手で物品または荷物（シャベル一杯の砂や両手一杯の枯れ葉）を保持しなければならない場合、一人では袋の口を開くことができず、袋の口を開いて保持するよう他人に助けを求めることになるという経験は誰にでもあるだろう。
【０００７】
もちろん、袋と剛性のある箱との主な違いは、袋は簡単に折り畳むことができる点、袋が折り畳まれた際に占める空間は、展開された状態の有効体積に比べて最小限である点、および、袋は、剛性容器に比べて極めて軽い点である。上記の欠点を解決するために、ある種の内部または外部筐体を設けることは、袋のこうした伝統的な利点を放棄することになるに違いない。布片の特性の変更、さらにその配置からのみ改善を得ることが望まれる。
【先行技術文献】
【特許文献】
【０００８】
【特許文献１】欧州特許第０６９１２８６号明細書
【発明の概要】
【０００９】
本発明は、特に袋の垂直な側部を構成することを意図した布片であって、かかる布片を用いて製造すると、完成した袋は、従来品に比べて、空のままでも起立し、その口を本質的に開いたままにする形状を維持する傾向が顕著に高い布片を製造する方法を提案することを目的とする。さらに、本発明は、布片の最終的な目的にかかわらず、かかる方法によって製造された布片と、かかる方法によって製造された構成要素により得られる安定特性を有する完成した袋を提案することも目的とする。
【００１０】
多くの場合、多少技術的に洗練された物品または構造に関して、解決策は、互いに結び付けることが予期されていない２つの部品の組み合わせに由来しており、第２の部品は異なる技術分野を起源とし、他の機能とともにそこでの異なる役割を果たしている。
【００１１】
本発明では、気泡シートにこの考えを借用している。気泡シートは周知であり、壊れやすい物を包むのに普遍的に用いられる。空気で満たされた気泡は、フィルムにより保持され、衝撃を吸収し緩衝して、気泡シートを用いて梱包した物品を保護する機能を有する。
【００１２】
最も簡易な形態において、本発明に従う方法は、例えばポリプロピレンである合成繊維製の２枚の個別の布片と、その間に挟んだ気泡シートを組み立てることからなり、この組立は、布片の一方の面に接着剤を塗布し、または塗布せずに、気泡シート片を挿入し（適切な場合には）接着するが、気泡シート片の寸法は、布片の寸法に関連付けられている（好ましくは同一ではない）。２枚の個別の布片は、例えば、縫製、積層、接着、または他の同等の方法により組み立てられる。
【００１３】
一方の布片の一方の面に接着剤を塗布した場合には、気泡シートの円滑面または凹凸面を、接着剤を塗布した布片に適用することができる。これらの方法は、完全に同じ結果には結びつかず、凹凸面を接着した方の剛性がわずかに大きくなる。
【００１４】
上記の接着剤の塗布を行い、または行わないことを選択することができ、適当な場合には、これを気泡シートの両面または一方の面に対して実施することができる。
【００１５】
気泡シートを布片の縁まで延ばすことが好ましくない場合がある。なぜならば、このようにすると、袋を形成するために布片を相互に縫い合わしている領域でフィルムと気泡とが緩衝するからである。したがって、布片の周囲に余白を残し、布片のそれぞれで、寸法（例えば幅および／または高さ）を布片の寸法よりも若干小さくした気泡シート片と関連付けることが好ましい。
【００１６】
個々の布片と気泡シート片とのそれぞれの寸法の差が、操作マージンを提供する。実際、この寸法差が大きいほど、縁に沿って袋を折り返すのが容易になる。この差が小さいほど、袋の安定性が潜在的に増す。気泡シート自体と、布の特性、特にその単位重量との関係の適切な妥協点を見つけることが必要である。
【００１７】
「サンドイッチ」の実施形態では、外側の位置を占める一方の布片が、袋に強度を付与する役割を果たしており、第２の布片は、気泡シートを保持する役目のみを果たし、したがって、外側に使用することを意図する布片に比べて、単位重量が小さくなるように選択することができる。
【００１８】
２枚の布片の間での気泡シートの保持は、一方の布片を他方の布片上に積層することによっても実現できる。
【００１９】
最後に、単位重量が同じである２枚の布片の使用を禁じていないので、筒状の布を平らにして用い、手を靴下の中に入れるようにして、その中に気泡シートを配置する。したがって、所望であれば、コストの低い筒状布の使用が好ましい場合がある。
【００２０】
冒頭で最初に述べたように、折り畳みが袋業界の基本である。ほとんどの場合、袋の折り畳みは、その縁に沿って、すなわち、袋の底部と４つの側部とを互いに縫着する共有の縫製ラインに沿って、少なくとも部分的に行われる。しかし、特に、紙製の買い物袋では袋の内側に向けられ、または袋の外側に向けられることのできるマチに沿って、短い側部と底部とが折り畳まれて連接される場合には、縁以外のどこにでも折り目がつく頻度が非常に高い。
【００２１】
本発明による方法、すなわち、袋の側部を構成することを目的として、少なくとも２枚の別個の布片を気泡シートと結合する方法の結果、非常に顕著な利点が得られる。実際、このようにして得られた側部を、例えば、下側の隅部から出発し、底部とともにマチを形成するよう意図されている斜線に沿って折り畳む場合、２つの材料（合成布および気泡シート）に折り目をつけることで、これまで未知の新規な効果、すなわち、折り線が、ばね効果を有する好適な展開線となるという効果を生ずる。簡単に言えば、従来の布製の袋は、付けられた折り線に沿って単にたわむ傾向がある。対照的に、気泡シートと結合した布で作られた、本発明に従う袋は、材料、または、特にそれを構成する２つの部分の挙動の相違により、展開に関するある種の好ましい優位性を有するであろう。
【００２２】
確かに、袋がそれ自体で広がり、外観の影響下のみで直立することはないであろうが、非常に明確に、袋は、展開して開いており、折り畳まれて閉じていないある種の好適な位置に戻る傾向がある。このことは、布と気泡シートの組み合わせの、先験的で予期せぬ特性に違いないが、本発明が解決策をもたらそうとする課題に関しては歓迎すべきものであり、したがって、本発明の目的を達成するために有利である。
【００２３】
なお、合成布と気泡シートの直列配置は折り畳みを妨げず、袋の壁を、問題にならない程度に微小に厚くするのみであり、重量の増加がわずかであることに留意されたい。
【図面の簡単な説明】
【００２４】
【図１】本発明による袋の下向き斜視図である。
【図２】布片と気泡シートの組み合わせの部分図である。
【図３】本発明による袋の一部切断斜視図である。
【発明を実施するための形態】
【００２５】
本発明の実施の形態を、図面を参照して以下で説明する。
【００２６】
図１および図２では、袋の底部１と、２つの垂直な長い側部２と、２つの垂直な短い側部３を見ることができる。４つの側部は、例えばポリプロピレン製の２枚の合成布２０、２１（図２）を用いて実現され、これら布片のそれぞれは、４枚の気泡シート２２を束縛している（図２）。４つの側部の布片の垂直縁４を、それらの共通の垂直縁で互いに縫着し、また、同様にして底部１に縫着する。短い側部３の布片に付けられているマチ折り線５が見える。
【００２７】
なお、合成紐６でできたハンドルが、袋の２つの長い側部２の上端近くに縫製されていることに留意されたい。
【００２８】
図１を参照し、袋のマチ折り線のおかげで、短い側部が外に向けて若干つままれたままとなり、袋の口を若干六角形状とすることが明らかである。
【００２９】
なお、図１は、まっすぐに自立し、適当に開いた状態の実際の袋の写真から作ったものであることに留意すべきである。したがって、この図は、図中に何らの装飾的効果も加えておらず、本方法に従って袋を構築することによって得られるものに他ならない。
【００３０】
図２において、本発明の実施形態を、袋の壁（２または３）を形成する要素を組み立てた状態で示す。したがって、各壁は、２枚の個別の布片２０、２１を含み、これらの間に気泡シート２２が配置される。好ましくは、フィルム２２の寸法は、布片２０、２１の寸法よりも小さく、上記したようにして２枚の個別の布片２０、２１の相互の組み立てを可能にする。
【００３１】
図３において、袋１１およびその２つの長い側部２が示されている。また、マチ折り線５も示されており、短い側部３（図では１つのみ）に現れる。図１に対して変わった点は、本質的に底部であり、底部は、袋を地面の上で転がすことを許容する構成を与える。
【００３２】
この構成は、合成布製で、底部１と長い側部２との間の共通縁に沿って縫い付けられた、２つのフラップ７の追加からなる。２つのフラップのそれぞれが取付け部材（面ファスナー）８を保持しているので、これらフラップを互いに協働して配置することができる。また、袋の底部１には穴が開口しており、この穴の数および位置は、プレート１２の下に固定された車輪１０が底部を通過できるようにする。
【００３３】
プレート１２は、好ましくは、剛性、堅牢性および軽量性の点から、発泡ポリプロピレン（ハニカム）で作られる。
【００３４】
プレート１２を底部１に取り付ける場合、２つのフラップ７を折り返し、プレートが底部の布の上に載るまで、車輪１０を穴９に導入する。ついで、２つのフラップ７を下げ、部材８を互いに押し付けることにより、ベースに対してプレートを係止する。
【００３５】
最後に、ハンドル１３を少なくとも１つの短い側部３に固定し、使用者が、本発明による袋の第２の変形例による転動袋を前方から引くことができることに留意されたい。
【００３６】
本発明の方法から得られる、気泡シート片を束縛する各種の布片の特性に起因して、完全に直立し、開口したままであり、第２の変形例におけるローラに装着された場合には、プレートも安定化の役割を果たすので、より直立および開口した袋が得られる。発明の目的を非常に優れて達成することにより、本発明に従う袋は、例えばショッピングセンターやスーパーマーケットにおける使用の新たな地平線を開くものである。  伝統的なショッピングカートとは異なり、顧客は、中身の入った袋を運び、直接車のトランクに入れることができる。
【００３７】
本発明の実施形態は、例示的な例として示されており、限定的に解釈すべきではない。特に、均等な手段を使用することを含め、保護を請求する範囲内での変形が可能である。
【００３８】
変形例としては、２枚の布片とこれらに挟まれた気泡シートのみならず、２枚の布片の間の気泡シートを２枚以上としたり、３枚の布片と２枚の気泡シートを交互に配置したりしたものを含む、より複雑な布片を提案することも検討できる。このような場合には、個々の布片は、単位重量が同じでも同じでなくてもよく、気泡シートは、構造（密度、寸法、気泡の形状）が同じでも同じでなくてもよい。  用途、状況、または、製造されるべき物品（例えば袋）の所望の特性の関数として選択することができる。
【図１】
0006301349.tif 000002
【図２】
0006301349.tif 000003
【図３】
0006301349.tif 000004